(57)【特許請求の範囲】
【請求項１】
使用者の皮膚に対し所定の美容動作を実行する美容装置において、
赤色域の可視光を照射するＬＥＤを用いた複数の第一照射部と、
黄色域の可視光を照射するＬＥＤを用いた複数の第二照射部と、
前記各照射部からの光の照射状態を調整制御する制御部とを備え、
前記第一照射部と第二照射部は、各照射部の大きさよりは広い所定間隔で互いに近接させて且つ交互に並べて集中的に配設されて、第一照射部と第二照射部が全て照射状態となると、全体として橙色の光が見えるようにされ、
前記制御部が、前記第一照射部から光を見た目の明るさを変えることなく略連続的に照射させると共に、前記第二照射部から光を断続的に照射させ、見た目の明るさを周期的に変更することを
特徴とする美容装置。
【請求項２】
前記請求項１に記載の美容装置において、
前記可視光の周期的な照射をＬＥＤを用いたパルス幅制御にて行うようにしたことを
特徴とする美容装置。
【請求項３】
前記請求項１又は２に記載の美容装置において、
近赤外域の光を照射する第三照射部を備え、
前記制御部が、前記第三照射部から光を所定照射強度で照射させることを
特徴とする美容装置。
【請求項４】
前記請求項１ないし３のいずれかに記載の美容装置において、
前記各照射部を間に挟んだ配置で所定間隔を空けて配設される一対の電極を備え、
前記制御部が、前記一対の電極間の通電状態を制御することを
特徴とする美容装置。
【請求項５】
前記請求項４に記載の美容装置において、
前記各照射部及び電極を支持して、使用者が手に持つ本体部に対し傾動可能に配設される傾動腕部を備え、
前記本体部に対して、前記各照射部及び電極の向きを調整可能とすることを
特徴とする美容装置。
【発明の詳細な説明】
【技術分野】
【０００１】
本発明は、使用者の皮膚に対し所定の美容効果を与える美容装置、特に、光照射による美容効果を与える装置に関する。なお、本発明で美容効果を与える対象としての「皮膚」と共に用いる「肌」の語は、体表面のみでなく皮下脂肪等の皮下組織を含む体表層の「皮膚」と同義のものとして扱っている。
【背景技術】
【０００２】
使用者の顔等の肌（皮膚）に対し所定の美容・美肌に係る各種動作を実行する美容機器は、家庭で用いられる簡易な単機能、低出力のものから、業務用として用いられる多機能、高出力のものまで、様々な種類のものが利用されている。こうした美容機器のうち、家庭等で用いられる簡易なものとしては、肌を冷したり加熱したりするもの、肌に対し吸引を行うもの、肌にスチームやミストを当てるもの、肌に光を照射するもの、肌に超音波による振動を伝えるもの、肌に微弱電流を流してイオン導入（イオントフォレーシス）を行うものなどが一般的に使用されている。
【０００３】
この中で、使用者の肌に対し所定波長の光を照射して、肌の活性化、シミの低減対策、殺菌等を図る美容機器は、従来から広く用いられており、そうした従来の美容機器の一例として、特開２００５−１２５０７５号公報や特開２００７−３３０６９０号公報に開示されるものがある。
【０００４】
この従来の美容機器は、光源としてレーザより照射強度の小さい発光ダイオード（ＬＥＤ）を用いるものとなっている。
【先行技術文献】
【特許文献】
【０００５】
【特許文献１】特開２００５−１２５０７５号公報
【特許文献２】特開２００７−３３０６９０号公報
【発明の開示】
【発明が解決しようとする課題】
【０００６】
従来の美容機器は前記特許文献に示される構成となっており、こうした機器では、可視光や近赤外線を照射することで肌への効果が生じるとされているが、可視光の照射については、実際に肌への効果が得られているのかが十分明らかにされておらず、近赤外線の照射を含む他の機能により生じた効果である可能性も高く、可視光の光源は、美容効果を求める目的を持って配設され、照射を行っているとはいえないという課題を有していた。特に、赤外線等の可視光以外の光は目で認識することができず、また目に重大な影響を与える危険性も高いことから、それらが照射されていることを視認可能に示すために、可視光を同時に照射する例も多く、従来の場合、可視光はこうした赤外線等の照射状態を示すための表示や、効能を想起させるための単なる装飾として用いられていると見なさざるを得なかった。
【０００７】
本発明は前記課題を解消するためになされたもので、所定波長及び所定の照射強度の可視光の肌への美容効果に関する知見に基づいて、美容効果が確認された波長域に対応する光（赤色域、黄色域）を適切に組合わせて照射し、肌に対し最大限の美容効果を効率よく発揮させられるとともに両可視光のいずれも十分視認可能とした美容装置を提供することを目的とする。
【課題を解決するための手段】
【０００８】
本発明に係る美容装置は、使用者の皮膚に対し所定の美容動作を実行する美容装置において、赤色域の可視光を照射する第一照射部と、黄色域の可視光を照射する第二照射部と、前記各照射部からの光の照射状態を調整制御する制御部とを備え、当該制御部が、一方の照射部から光を略連続的に照射させると共に、他方の照射部から光を断続的に照射させるものである。
【０００９】
このように本発明によれば、皮膚への可視光の照射について、本出願人が赤色域や黄色域の可視光を皮膚に照射すると、皮膚の細胞を活性化する事象を知見したことに基づいて、細胞活性に有効な可視光を複数種類照射するにあたり、使用者に複数の可視光が作用していることを視覚的に表現できるようにして心理的な作用と合わせ大きな美容効果を与えられる。
【００１０】
また、本発明に係る美容装置は、前記制御部が、一方の照射部から光を所定の照射強度で見た目の明るさを変えることなく略連続的に照射させると共に、他方の照射部から光を、照射強度を変えることなく見た目の明るさを周期的に変更するものである。
【００１１】
これは、出願人が光の照射による美容効果は周波数のみでなくその照射強度が関係することを知見したことに基づいており、各照射部から赤色や黄色の可視光をそれぞれ所定の照射強度で且つ見た目上は一方の照射光は略連続的に、他方の照射光は周期的に照射されるように制御しつつ、皮膚への各光の照射を実行させることにより、それぞれの可視光にとって最適と考えられる所定の照射強度を維持しつつ使用者に複数の可視光が作用していることを視覚的に表現できるようにした。
【００１２】
この場合、特に黄色光のみを周期的に照射させることが望ましい。これは赤色光が連続照射されている中で黄色光を周期的に照射することが両者の存在を最もアピール出来ることを実験的に知見したことによる。
【００１３】
また、本発明に係る美容装置は必要に応じて、前記可視光の周期的な照射をＬＥＤを用いたパルス幅制御にて行うようにした。
【００１４】
これによればパルスの高さを一定にしてパルスの山（実照射期間）と谷（照射中断期間）の割合を少しずつ変えて所定の照射強度を維持しつつ、光量（見た目の明るさ）を徐々に変化させることができ、美容効果を維持しつつ照射期間と非照射期間の移り変りで光量が緩やかに変化する状態を生じさせており光の変化を穏やかなものとして使用者が光を目で見た時の刺激感を抑えられる。
【００１５】
また、本発明に係る美容装置は必要に応じて、近赤外域の光を照射する第三照射部を備え、前記制御部が、前記第三照射部から光を所定照射強度で照射させるものである。
【００１６】
このように本発明によれば、第一、第二照射部による可視光の照射と共に、第三照射部が近赤外光を照射し、肌が可視光と合せて近赤外光の照射も受けることにより、皮膚内部の所定深さまで達することのできる近赤外線が皮膚にさらなる活性化をもたらし、可視光による効果と合せて皮膚に確実に美容効果を与えることができる。
【００１７】
また、本発明に係る美容装置は必要に応じて、前記各照射部が、近接状態で集中配置され、前記各照射部を間に挟んだ配置で所定間隔を空けて配設される一対の電極を備え、前記制御部が、前記一対の電極間の通電状態を制御するものである。
【００１８】
このように本発明によれば、各照射部を挟んで一対の電極が配設され、各照射部で皮膚に光を照射する際に、皮膚にこの一対の電極を当接させると、当接部分の皮膚を介して電極間で通電状態となり、皮膚に通電に伴う美容効果も生じさせられることにより、光照射と通電による刺激を同時に皮膚に与えて、効率よく皮膚に美容効果を与えられると共に、通電と光照射の実行が、対をなす電極を単に皮膚に当接させるだけですむこととなり、優れた美容効果を容易に得られる。
【００１９】
また、本発明に係る美容装置は必要に応じて、前記各照射部及び電極を支持して、使用者が手に持つ本体部に対し傾動可能に配設される傾動腕部を備え、前記本体部に対して、前記各照射部及び電極の向きを調整可能とするものである。
【００２０】
このように本発明によれば、使用者が持つ部分に対して傾動する傾動腕部に各照射部と電極が配設され、各照射部と電極の向き調整の自由度を高めることにより、光照射等を行いたい皮膚部位に対し、各照射部と電極の向きを調整して、より確実に対象部位に各照射部等を対向させられ、光照射等の本来の効果を正しく発揮させられると共に、本体部と傾動腕部の位置関係を調整できることで、使用者の装置を持つ姿勢が無理なく使用を続けられるものとなり、使い勝手を大きく向上させられる。
【図面の簡単な説明】
【００２１】
【図１】本発明の一実施形態に係る美容装置の斜視図である。
【図２】本発明の一実施形態に係る美容装置の正面図である。
【図３】本発明の一実施形態に係る美容装置の背面図である。
【図４】本発明の一実施形態に係る美容装置の右側面図である。
【図５】本発明の一実施形態に係る美容装置の平面図及び傾動腕部傾動状態平面図である。
【図６】本発明の一実施形態に係る美容装置における傾動腕部傾動状態の斜視図である。
【図７】本発明の一実施形態に係る美容装置における多孔性被覆体固定状態の斜視図である。
【図８】本発明の一実施形態に係る美容装置のブロック図である。
【図９】本発明の一実施形態に係る美容装置におけるクレンジング動作状態の説明図である。
【図１０】本発明の一実施形態に係る美容装置におけるイオン導入動作状態の説明図である。
【図１１】本発明の一実施形態に係る美容装置におけるローラ通電及び光照射動作状態の概略説明図である。
【図１２】本発明の一実施形態に係る美容装置における光照射状態の黄色光照射強度及び光量の時間的変化説明図である。
【図１３】本発明の一実施形態に係る美容装置における黄色光照射期間のパルス幅制御状態説明図である。
【発明を実施するための最良の形態】
【００２２】
以下、本発明の一実施形態に係る美容装置を前記図１ないし図１３に基づいて説明する。
【００２３】
前記各図において本実施形態に係る美容装置１は、使用者により保持される本体部１１と、本体部１１の先端に配設されて肌（皮膚）５０に対するイオン導入等の美容動作に用いられるヘッド部１２と、本体部１１におけるヘッド部１２近傍の所定部位に傾動可能に配設される傾動腕部１３と、この傾動腕部１３に取付けられて所定波長の光を照射する各照射部１４、１５、１６と、各照射部１４、１５、１６を挟む配置として傾動腕部１３の先端部に回動可能として配設される一対のローラ電極１７、１８と、各電極への通電や照射部１５における光の照射を制御する制御部１９とを備える構成である。
【００２４】
前記本体部１１は、前記ヘッド部１２が一端に配設される一方、他端側には使用者が使用時に手で握って保持する把持部１１ａを形成されてなり、把持部１１ａの長手方向とヘッド部１２の正面方向とが所定角度分傾いた形状として形成され、内部には前記制御部１９等の電気回路や電源としての電池（図示を省略）を配設される構成である。また、本体部１１のヘッド部１２の近傍に傾動腕部１３を取付けられる構成である。
【００２５】
また、ヘッド部１２の正面側に近い把持部１１ａ正面側には、使用者の入力操作を受けて美容動作のＯＮ、ＯＦＦや動作の種類、強弱等を切換える操作部１１ｂが配設され、また把持部１１ａ側面には導電性部材からなり制御部１９と接続されたイオン導入用の補助電極部１１ｃが配設される。
【００２６】
前記ヘッド部１２は、金属等の導電性及び良熱伝導性を有する材質からなり、肌に直接又はカット綿等の多孔質被覆体１２ａを介して当接し、肌５０に対しイオン導入等の美容動作を実行するものである。このヘッド部１２は本体部１１内で制御部１９と接続されており、把持部１１ａにある補助電極部１１ｃとの間で使用者の体を介して通電可能とされる構成である。
【００２７】
通電については、制御部１９によりヘッド部１２と補助電極部１１ｃ間に電圧が加えられて通電が起こり得る状態とされた上で、電解質成分を含む化粧水等の液剤が含浸した多孔質被覆体１２ａを介して、又は直接、ヘッド部１２が顔等の肌５０に接触し、また補助電極部１１ｃが把持部１１ａを持つ掌や手の指等と接触すると、ヘッド部１２と補助電極部１１ｃとが使用者の体を介して通電状態となる仕組みである。この場合、人体が導体をなすこととなる。
【００２８】
このヘッド部１２と補助電極部１１ｃは十分離れており、補助電極部１１ｃに触れた手等がヘッド部１２に誤って接して、通電が生じるようなことはない。
【００２９】
このヘッド部１２の接する肌５０への通電に伴って、あらかじめ肌表面に塗布したか、多孔質被覆体１２ａに染込ませたかした化粧水等の液剤中に含まれるイオン性の有効成分を、制御部１９からの電流に基づくイオン移動によって肌内部に導入するイオン導入（イオントフォレーシス）を実行できる仕組みである。このイオン導入の手法自体は公知のものであり、詳細な説明を省略する。
【００３０】
また、クレンジングとして、帯電した老廃物等の汚れ成分を通電により肌５０側からヘッド部１２側に移行させ、多孔質被覆体１２ａに取込む状態を得ることもできる。
【００３１】
このヘッド部１２は、イオン導入等を行う関係上、チタン等の通電に対し安定した材質を用いるのが望ましい。すなわち、仮にヘッド部１２をクロム等のメッキ表面とした場合、イオン導入の際、電気分解によりヘッド部１２の表面に金属イオンが溶出し、この溶出金属イオンが皮膚に対して悪影響を与えるという問題を生じるが、安定性の高いチタンを電極表面に用いれば、通電を経てもヘッド部１２での電気分解によりチタンの金属イオンが溶出することはなく、安全に使用できる。この電極表面材料は、純チタンが望ましいものの、チタン化合物であってもよい。また、チタン以外に金等を用いることもできる。
【００３２】
前記傾動腕部１３は、本体部１１におけるヘッド部１２のある先端部に傾動可能に取付けられる略腕状部材であり、傾動の中心から離れた端部に前記各照射部１４、１５、１６及びローラ電極１７、１８を取付けられる構成である。この傾動腕部１３については、各照射部として光の照射範囲の広い光源を用いる場合、ローラ電極１７、１８に挟まれた開口部分以外からの光の予期せぬ漏れを防ぐために、照射部の側方を覆う形状とするのが好ましい。
【００３３】
ローラ電極１７、１８による通電及び各照射部からの光照射を行う際は、この傾動腕部１３を傾動させて各照射部及びローラ電極１７、１８をヘッド部１２正面に位置させ、ローラ電極１７、１８を肌５０に当接可能な状態とする（図１、図２、図３、図４、図５（Ａ）参照）。一方、イオン導入など、ローラ電極１７、１８による通電及び光照射を行わない場合には、傾動腕部１３を傾動させて各照射部及びローラ電極１７、１８をヘッド部１２正面からずらし、ヘッド部１２を開放状態とすれば、ヘッド部１２を多孔質被覆体１２ａで覆ったり肌５０に当接させたりすることができる（図５（Ｂ）、図６参照）。
【００３４】
前記各照射部１４、１５、１６は、赤色域（波長約６２０〜７５０ｎｍ）の光を照射する第一照射部１４と、黄色域（波長約５７０〜５９０ｎｍ）の光を照射する第二照射部１５と、近赤外線（波長約８００〜１０００ｎｍ）を照射する第三照射部１６の三つであり、互いに近接させて集中的に配設され、制御部１９による照射制御の下、肌に所定の美容効果を生じさせる各波長の光を照射するものである。各照射部の光源としての構造自体は、公知の高輝度型の発光ダイオード（ＬＥＤ）を用いたものであり、詳細な説明を省略する。これら各照射部１４、１５、１６は、共通の透光性を有するカバー１３ａで覆われた状態で傾動腕部１３に固定されており、この傾動腕部１３内に設けられた導線を介して本体部１１内側の制御部１９と電気的に接続されている。
【００３５】
第一照射部１４と第二照射部１５は、各照射部の大きさよりは広い所定間隔で交互に横並びで配設され、第二照射部１５はいずれも第一照射部１４に挟まれた配置とされる。これら第一照射部１４と第二照射部１５が全て照射状態となると、全体として橙色の光が発するように見えることとなる。なお、第三照射部１６は、第二照射部１５におけるローラ電極１８のある側に近接させて配設される。
【００３６】
第一照射部１４からの赤色光は、制御部１９での照射制御により、所定の照射強度、例えば１ｍＷ／ｃｍ2前後の照射強度で略連続的に、すなわち人目にはちらつき等無く連続した光に見えるようにして照射される。第三照射部１６からの近赤外光についても、同様に所定の照射強度で略連続的に照射される。
【００３７】
一方、第二照射部１５からの黄色光は、制御部１９での照射制御により、所定の照射強度、例えば０．１ｍＷ／ｃｍ2前後の照射強度で断続的に、すなわち照射期間と非照射期間が交互に繰返されるようにして照射される。ただし、照射期間における照射は略連続的に、すなわち人目にはちらつき等無く連続した光に見えるように行われる。
【００３８】
前記ローラ電極１７、１８は、傾動腕部１３の傾動中心部分から離れた先端側に肌５０と接触可能に露出し、且つ近接状態で集中配置される各照射部１４、１５、１６を挟んで対向する配置で一対配設される導体であり、対をなす電極と肌５０が接触している状態で、制御部１９により対をなす電極間を通電状態とされる構成である。このローラ電極１７、１８は、金属等の導電体で形成するほか、ゴム等の弾性体表面に金属等の導体を貼付けたり導体の薄膜を配置して形成した構造とすることもできる。このローラ電極１７、１８も、各照射部１４、１５、１６同様、傾動腕部１３内に設けられた導線を介して本体部１１内側の制御部１９と電気的に接続される。
【００３９】
前記制御部１９は、本体部１１に内蔵され、使用者の操作部１１ｂへの入力操作を受けて、ヘッド部１２と補助電極部１１ｃ間の通電や、対をなすローラ電極１７間の通電、及び各照射部１４、１５、１６における各光照射を、それぞれ制御するものである。
【００４０】
制御部１９は美容用途ごとに動作モードを設定しており、本実施形態においては、皮膚に蓄積している有害成分や老廃物を除去するクレンジングモード、皮膚の深部に化粧水、乳液、ゲル剤、クリーム剤等の化粧料に含まれる有効成分を浸透させるイオン導入モード、及び、皮膚を活性化して乳液やクリームの定着、浸透を図るローラ通電及び光照射モード、の三つがある。
【００４１】
クレンジングモードとイオン導入モードでは、ヘッド部１２と補助電極部１１ｃ間を通電状態とする。ローラ通電及び光照射モードでは、対をなすローラ電極１７、１８間を通電状態とする。またローラ通電及び光照射モードのみ、各照射部１４、１５、１６による光照射を実行する。
【００４２】
制御部１９は、動作モードに対応してヘッド部１２と補助電極部１１ｃ間、また対をなすローラ電極１７、１８間をそれぞれ通電状態とする場合、この通電により使用者の皮膚を流れる電流の強さの調整を行う。
【００４３】
また、制御部１９は、各照射部１４、１５、１６における光照射に際して、これら各照射部からの光の刺激に使用者が慣れることを防止するために、また複数の所定の周波数の可視光が別々に照射されていることを視認しやすくするために、点滅表示により視認性が際立つこととなる黄色光に、時間経過と共に照射強度の変化を生じさせるように第二照射部１５における照射状態を制御する。すなわち、第二照射部１５の照射状態を、所定のタイミングで照射期間と非照射期間とが切替わる断続照射とすることで、使用者の光刺激に対する慣れを生じさせず、使用者は光を常に当初と変らない刺激として受取ることができ、光照射の効果が損われるのを防止する（図１２（Ａ）参照）。
【００４４】
各照射部１４、１５、１６の照射期間における制御は、各照射部にＬＥＤを用いる関係上、ＬＥＤに適したパルス幅制御により行われ、照射される間は、単純な連続照射の他に、人の目にはあたかも連続照射されているように見えるようパルスを繰返す照射が行える。また、黄色光の断続照射を行う第二照射部１５については、照射期間のうち点灯直後や消灯直前の一定期間は、照射が連続しているように見える範囲でパルス幅制御のデューティ比、すなわちパルスの山（実照射期間）と谷（照射中断期間）の割合を少しずつ変えて光量を徐々に変化させ、照射期間と非照射期間の移り変りで光量が緩やかに変化する状態を生じさせており（図１２（Ｂ）、図１３参照）、美容効果を与えられる最適な照射強度を維持しつつ、光の変化を穏やかなものとして使用者が光を目で見た時の刺激感を抑えられる。
【００４５】
一方、赤色光は、所定の照射強度での略連続的で変化の少ない照射状態に制御する。なお、この赤色光を照射する第一照射部１４についても、略連続的な照射ながら、パルス幅制御で光量を変化させて光の明暗の度合いを調整することができる。
【００４６】
このように、本実施形態では各照射部から赤色や黄色の可視光をそれぞれ所定の強度で且つ見た目上は赤色光は略連続的に、黄色光は周期的に照射されるように制御しつつ、皮膚への各光の照射を実行させ、それぞれの可視光にとって最適と考えられる所定の照射強度を維持しつつ使用者に複数の可視光が作用していることを視覚的に表現できるようにしているが、これは赤色光が連続照射されている中で黄色光を周期的に照射することが両者の存在を最もアピール出来ることを実験的に知見したことによるものである。
【００４７】
なお、こうした各照射部１４、１５、１６の光照射に係る制御をパルス幅制御により行う構成としているが、これに限られるものではなく、電流制御や、パルス幅制御と電流制御を組合わせた制御を用いる構成とすることもできる。
【００４８】
次に、本実施形態に係る美容装置の各美容動作状態について説明する。前提として、美容装置１が電源の投入により起動し、使用者が把持部１１ａを持ってヘッド部１２又はローラ電極１７、１８を使用したい肌部位に向けられる状態にあるものとする。使用者により動作モードが選択入力されれば、制御部１９が各動作モードの実行を開始可能な状態とする。
【００４９】
クレンジングを行う場合には、使用者はあらかじめ傾動腕部１３を傾動させて各照射部及びローラ電極１７、１８をヘッド部１２正面からずらし、ヘッド部１２を肌に当接可能な開放状態とし、電解質成分を含んだふき取り用化粧水等の化粧料を染みこませた多孔質被覆体１２ａをヘッド部１２に被せ、さらに保持部１２ｂを本体部１１に嵌合させて多孔質被覆体１２ａを固定する（図７参照）。
【００５０】
使用者が操作部１１ｂを操作してクレンジングモードを選択すると、制御部１９はヘッド部１２と補助電極部１１ｃ間に短い周期でパルス状の微弱電流を流す通電状態の開始を可能とする。ただし、ヘッド部１２を肌から離している状態では、ヘッド部１２と補助電極部１１ｃ間が体を介して閉じた回路となっていないため、通電はない。
【００５１】
ヘッド部１２を多孔質被覆体１２ａを介し肌５０に密着させると、体及び多孔質被覆体１２ａ中の化粧料を介した通電状態となり、皮膚表面や内部の帯電した微細な汚れ成分（落ちきれなかった化粧品の成分、タバコの煙の成分、老化角質等）がヘッド部１２に引寄せられて肌側から多孔質被覆体１２ａ側に移行し（図９参照）、多孔質被覆体１２ａに汚れ成分が取込まれる状態となることで、肌の汚れを吸引除去できる。
【００５２】
多孔質被覆体１２ａを肌５０に当接させたままヘッド部１２を肌上で少しずつ移動させると、通電状態のまま汚れ除去の対象位置を変えられるが、この除去動作を中断したり除去位置を変えるために、ヘッド部１２を肌５０から離すと、直ちに通電は中断する。クレンジングを完全に終える場合は、使用者が操作部１１ｂで動作モードを他に切替えるか電源をＯＦＦ状態とすればよい。
【００５３】
このクレンジングの終了後は、嵌合させていた保持部１２ｂを外し、多孔質被覆体１２ａを取外してヘッド部１２を清浄化する。また、使用者は洗顔等を行って肌上に浮いた状態で残った汚れを取除くこととなる。
【００５４】
イオン導入を行う場合には、使用者は前記同様あらかじめ傾動腕部１３を傾動させて各照射部及びローラ電極１７、１８をヘッド部１２正面からずらし、ヘッド部１２を肌５０に当接可能な開放状態とすると共に、電解質成分を含んだ保護化粧水等の化粧料を染みこませた多孔質被覆体１２ａをヘッド部１２に被せ、さらに保持部１２ｂを本体部１１に嵌合させて多孔質被覆体１２ａを固定する（図７参照）。
【００５５】
使用者が操作部１１ｂを操作してイオン導入モードを選択すると、制御部１９はヘッド部１２と補助電極部１１ｃ間に短い周期でパルス状の微弱電流を流す通電状態の開始を可能とする。ただし、ヘッド部１２を肌５０から離している状態では、ヘッド部１２と補助電極部１１ｃ間が閉じた回路となっていないため、通電はない。
【００５６】
ヘッド部１２を多孔質被覆体１２ａを介し肌５０に密着させると、体及び多孔質被覆体１２ａ中の化粧料を介した通電状態となり、多孔質被覆体１２ａを流れる電流で化粧料中のイオン性の有効成分（プロビタミンＣなど）を肌側へ移行させ（図１０参照）、電流によりイオンが浸透しやすい状態となっている肌内に、有効成分が速やかに浸透する。
【００５７】
多孔質被覆体１２ａを肌５０に当接させたままヘッド部１２を肌上で少しずつ移動させると、通電状態のままイオン導入の対象位置を変えられるが、イオン導入を中断したり導入位置を大きく変えるために、ヘッド部１２を肌５０から離すと、直ちに通電は中断する。イオン導入を完全に終える場合は、使用者が操作部１１ｂで機能を他に切替えるか電源をＯＦＦ状態とすればよい。
【００５８】
このイオン導入のモードの終了後、嵌合させていた保持部１２ｂを外し、多孔質被覆体１２ａをヘッド部１２上から取外す。
【００５９】
ローラ通電及び光照射を行う場合には、使用者は傾動腕部１３を傾動させてヘッド部１２の正面側にローラ電極１７、１８と各照射部１４、１５、１６が位置し、ローラ電極１７が肌５０に当接可能な状態とする（図１参照）。同時に、肌に乳液又はクリームを付けてなじませた状態とする。
【００６０】
使用者が操作部１１ｂを操作してローラ通電及び光照射モードを選択すると、制御部１９は対をなすローラ電極１７、１８間に短い周期でパルス状の微弱電流を流す通電状態の開始を可能とし、また各照射部１４、１５、１６における光の照射も開始される。ただし、ローラ電極１７、１８を肌５０から離している状態では、ローラ電極１７、１８間が肌を介して閉じた回路となっていないため、通電はない。
【００６１】
ローラ電極１７、１８を肌５０に密着させると、対をなすローラ電極１７、１８間において肌を介した通電状態となり、肌に通電による刺激が加わり、肌を活性化して乳液やクリームの浸透を促すこととなる。また、肌は各照射部１４、１５、１６からの適度な照射強度で照射される赤色光と黄色光、並びに近赤外光を受ける（図１１参照）。このうち、赤色光と近赤外光は略連続的に照射されて肌５０に達し、黄色光は断続的に照射されて肌５０に達して、それぞれ美容効果を生じさせることとなる。
【００６２】
第二照射部１５の制御により黄色光の照射は連続的ではなく、断続照射で、且つ照射期間において点灯直後と消灯直前に光量の変化も生じていることから、肌が黄色光の刺激に慣れて黄色光への反応が鈍くなることはなく、確実に黄色光が照射当初と変らず刺激として作用して肌を活性化した状態に変化させることができる。
【００６３】
ローラ電極１７、１８を肌５０に当接させたまま転動させて肌上で少しずつ移動させると、通電及び光照射の対象位置を変えられるが、通電を中断したり通電及び照射位置を変えるために、ローラ電極１７、１８を肌５０から離すと、直ちにローラ電極間の通電が中断する。通電及び照射を完全に終える場合、使用者は操作部１１ｂで機能を他に切替えるか電源をＯＦＦ状態とすれば、ローラ電極１７、１８間の通電と各照射部１４、１５、１６における光の照射が停止する。
【００６４】
このように、本実施形態に係る美容装置は、皮膚への可視光の照射について、本出願人が赤色域や黄色域の可視光を皮膚に照射すると、皮膚の細胞を活性化する事象を知見したことに基づいて、各照射部１４、１５、１６から赤色や黄色の可視光をそれぞれ所定の強度で且つ赤色光は略連続的に、黄色光は断続的に照射されるように制御しつつ、皮膚への各光の照射を実行させることから、各照射部１４、１５、１６から最適な強度として照射された各光が皮膚を効率よく活性化して美容効果を与えられることに加えて、断続的に照射される照射強度の大きい黄色光が、使用者の皮膚に放射強度の変化を与えることとなり、刺激を付与当初のように感じにくくなる慣れが生じにくく、光の刺激に対する反応としての皮膚の活性化が、光を照射した当初と変ることなく発生し、皮膚が光照射を受けている間じゅう、これに伴う美容効果を確実に与えることができる。
【００６５】
なお、前記実施形態に係る美容装置においては、操作部１１ｂで動作モードを切替える構成としているが、これに限らず、傾動腕部の傾動により作動するスイッチを設け、使用者が傾動腕部１３を傾動させてヘッド部１２の正面側にローラ電極１７と各照射部１４、１５、１６を位置させると、前記スイッチが動作モードをローラ通電及び光照射モードに切替えるようにする構成とすることもでき、傾動腕部を動かした後の操作部における操作の手間を省くことができ、使い勝手を向上させられる。
【符号の説明】
【００６６】
１            美容装置
１１          本体部
１１ａ        把持部
１１ｂ        操作部
１１ｃ        補助電極部
１２          ヘッド部
１２ａ        多孔質被覆体
１２ｂ        保持部
１３          傾動腕部
１３ａ        カバー
１４          第一照射部
１５          第二照射部
１６          第三照射部
１７、１８    ローラ電極
１９          制御部
５０          肌
【図１】
0005483956.tif 000002
【図２】
0005483956.tif 000003
【図３】
0005483956.tif 000004
【図４】
0005483956.tif 000005
【図５】
0005483956.tif 000006
【図６】
0005483956.tif 000007
【図７】
0005483956.tif 000008
【図８】
0005483956.tif 000009
【図９】
0005483956.tif 000010
【図１０】
0005483956.tif 000011
【図１１】
0005483956.tif 000012
【図１２】
0005483956.tif 000013
【図１３】
0005483956.tif 000014